(57)【要約】  本開示はリフレッシュレート調整方法及びその回路、表示装置、並びに記憶媒体を開示し、表示技術分野に属する。当該方法は、駆動デバイスの現在の駆動リフレッシュレートを取得するステップと、駆動リフレッシュレートが所定の駆動リフレッシュレート閾値より小さいかどうかを判定するステップと、駆動リフレッシュレートが駆動リフレッシュレート閾値より小さいと、表示装置の表示リフレッシュレートを、前記表示リフレッシュレートが駆動リフレッシュレートのＰ（１より大きい整数）倍になり、かつ表示リフレッシュレートが駆動リフレッシュレート閾値より大きくなるように調整するステップと、を含む。
2020522723.tif 000002
【特許請求の範囲】
【請求項１】
駆動デバイスの現在の駆動リフレッシュレートを取得するステップと、
前記駆動リフレッシュレートが所定の駆動リフレッシュレート閾値より小さいかどうかを判定するステップと、
前記駆動リフレッシュレートが前記駆動リフレッシュレート閾値より小さいと、表示装置の表示リフレッシュレートを、前記表示リフレッシュレートが前記駆動リフレッシュレートのＰ（１より大きい整数）倍になり、かつ前記表示リフレッシュレートが前記駆動リフレッシュレート閾値より大きくなるように調整するステップと、を含む、
リフレッシュレート調整方法。
【請求項２】
前記駆動リフレッシュレートが所定の駆動リフレッシュレート閾値より小さいかどうかを判定した後、前記方法は、さらに、
前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するステップを含む、
請求項１に記載の方法。
【請求項３】
前記駆動リフレッシュレートが前記駆動リフレッシュレート閾値より小さいと、表示装置の表示リフレッシュレートを、前記表示リフレッシュレートが前記駆動リフレッシュレートのＰ倍になり、かつ前記表示リフレッシュレートが前記駆動リフレッシュレート閾値より大きくなるように調整するステップは、
前記駆動リフレッシュレートが前記駆動リフレッシュレート閾値より小さいと、現在に受信した、前記駆動デバイスにより伝送された第１の画像フレームの伝送時間を特定するステップと、
前記伝送時間と等しい出力時間でＰ個の前記第１の画像フレームを出力するステップと、を含む、
請求項１に記載の方法。
【請求項４】
前記第１の画像フレームは有効データを含み、前記伝送時間と等しい出力時間でＰ個の前記第１の画像フレームを出力するステップは、
第１の伝送レートでＰ個の前記第１の画像フレームの有効データを出力する有効出力時間を特定するステップと、
前記伝送時間及び前記有効出力時間に基づいて、各前記第１の画像フレームに対応する無効出力時間を特定するステップと、
各前記第１の画像フレームに対応する無効出力時間及び第２の伝送レートに基づいて、各前記第１の画像フレームの有効データの直後に無効データを埋めて処理後のＰ個の第１の画像フレームを得るステップと、
前記処理後のＰ個の第１の画像フレームを出力するステップと、を含み、
その中、前記有効データが前記第１の伝送レートで出力され、前記無効データが前記第２の伝送レートで出力される、
請求項３に記載の方法。
【請求項５】
Ｐ個の前記第１の画像フレームにおける任意の２つの前記第１の画像フレームに対応する無効出力時間は等しく、若しくは、Ｐ個の前記第１の画像フレームにおいて、少なくとも２つの前記第１の画像フレームに対応する無効出力時間は等しくない、
請求項４に記載の方法。
【請求項６】
Ｐ個の前記第１の画像フレームにおける任意の２つの前記第１の画像フレームに対応する無効出力時間は等しい場合、前記伝送時間及び前記有効出力時間に基づいて、各前記第１の画像フレームに対応する無効出力時間を特定するステップは、
Ｔｂａｌｎｋ１＝［Δｔ−（Ｐ／Ｖｆ）］／Ｐである第１の無効時間の式を使用して各前記第１の画像フレームに対応する無効出力時間を特定するステップを含み、
ただし、Ｔｂａｌｎｋ１は各前記第１の画像フレームに対応する無効出力時間を示し、Δｔは前記伝送時間を示し、Ｐ／Ｖｆは前記有効出力時間を示し、Ｖｆは前記第１の伝送レートを示す、
請求項４に記載の方法。
【請求項７】
前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するステップは、
前記駆動リフレッシュレートが前記駆動リフレッシュレート閾値以上であると、現在に受信した、前記駆動デバイスにより伝送された第１の画像フレームの伝送時間を特定するステップと、
前記伝送時間と等しい出力時間で前記第１の画像フレームを出力するステップと、を含む、
請求項２に記載の方法。
【請求項８】
前記第１の画像フレームは有効データを含み、前記伝送時間と等しい出力時間で前記第１の画像フレームを出力するステップは、
第１の伝送レートで前記第１の画像フレームの有効データを出力する有効出力時間を特定するステップと、
前記伝送時間及び前記有効出力時間に基づいて、前記第１の画像フレームに対応する無効出力時間を特定するステップと、
前記第１の画像フレームに対応する無効出力時間及び第２の伝送レートに基づいて、前記第１の画像フレームの有効データの直後に無効データを埋めて処理後の第１の画像フレームを得るステップと、
前記処理後の第１の画像フレームを出力するステップと、を含み、
その中、前記有効データが前記第１の伝送レートで出力され、前記無効データが前記第２の伝送レートで出力される、
請求項７に記載の方法。
【請求項９】
前記伝送時間及び前記有効出力時間に基づいて、前記第１の画像フレームに対応する無効出力時間を特定するステップは、
Ｔｂａｌｎｋ２＝Δｔ−（１／Ｖｆ）である第２の無効時間の式を使用して前記第１の画像フレームに対応する無効出力時間を特定することを含み、
ただし、Ｔｂａｌｎｋ２は前記第１の画像フレームに対応する無効出力時間を示し、Δｔは前記伝送時間を示し、１／Ｖｆは前記有効出力時間を示し、Ｖｆは前記第１の伝送レートを示す、
請求項８に記載の方法。
【請求項１０】
前記第１の伝送レートの単位は前記表示装置のリフレッシュレートの単位と同じであり、かつ、前記第１の伝送レートの値は前記表示装置の最大リフレッシュレートの値以上である、
請求項４、５、６、８又は９のいずれか１項に記載の方法。
【請求項１１】
駆動デバイスの現在の駆動リフレッシュレートを取得するための取得回路と、
前記駆動リフレッシュレートが所定の駆動リフレッシュレート閾値より小さいかどうかを判定するための判定回路と、
前記駆動リフレッシュレートが前記駆動リフレッシュレート閾値より小さいと、表示装置の表示リフレッシュレートを、前記表示リフレッシュレートが前記駆動リフレッシュレートのＰ（１より大きい整数）倍になり、かつ前記表示リフレッシュレートが前記駆動リフレッシュレート閾値より大きくなるように調整するための第１の調整回路とを含む、
リフレッシュレート調整回路。
【請求項１２】
前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するための第２の調整回路をさらに含む、
請求項１１に記載の回路。
【請求項１３】
前記第１の調整回路は、
前記駆動リフレッシュレートが前記駆動リフレッシュレート閾値より小さいと、現在に受信した、前記駆動デバイスにより伝送された第１の画像フレームの伝送時間を特定するための第１の特定サブ回路と、
前記伝送時間と等しい出力時間でＰ個の前記第１の画像フレームを出力するための第１の出力サブ回路と、を含む、
請求項１１に記載の回路。
【請求項１４】
前記第１の画像フレームは有効データを含み、
前記第１の出力サブ回路は、
第１の伝送レートでＰ個の前記第１の画像フレームの有効データを出力する有効出力時間を特定するための第１の特定部と、
前記伝送時間及び前記有効出力時間に基づいて、各前記第１の画像フレームに対応する無効出力時間を特定するための第２の特定部と、
各前記第１の画像フレームに対応する無効出力時間及び第２の伝送レートに基づいて、各前記第１の画像フレームの有効データの直後に無効データを埋めて処理後のＰ個の第１の画像フレームを得るための第１の充填部と、
前記処理後のＰ個の第１の画像フレームを出力するための第１の出力部とを含み、
その中、前記有効データが前記第１の伝送レートで出力され、前記無効データが前記第２の伝送レートで出力される、
請求項１３に記載の回路。
【請求項１５】
Ｐ個の前記第１の画像フレームにおける任意の２つの前記第１の画像フレームに対応する無効出力時間は等しく、若しくは、Ｐ個の前記第１の画像フレームにおいて、少なくとも２つの前記第１の画像フレームに対応する無効出力時間は等しくない、
請求項１４に記載の回路。
【請求項１６】
Ｐ個の前記第１の画像フレームにおける任意の２つの前記第１の画像フレームに対応する無効出力時間は等しい場合、前記第２の特定部は、
Ｔｂａｌｎｋ１＝［Δｔ−（Ｐ／Ｖｆ）］／Ｐである第１の無効時間の式を使用して各前記第１の画像フレームに対応する無効出力時間を特定し、
ただし、Ｔｂａｌｎｋ１は各前記第１の画像フレームに対応する無効出力時間を示し、Δｔは前記伝送時間を示し、Ｐ／Ｖｆは前記有効出力時間を示し、Ｖｆは前記第１の伝送レートを示す、
請求項１４に記載の回路。
【請求項１７】
前記第２の調整回路は、
前記駆動リフレッシュレートが前記駆動リフレッシュレート閾値以上であると、現在に受信した、前記駆動デバイスにより伝送された第１の画像フレームの伝送時間を特定するための第２の特定サブ回路と、
前記伝送時間と等しい出力時間で前記第１の画像フレームを出力するための第２の出力サブ回路とを含む、
請求項１２に記載の回路。
【請求項１８】
前記第１の画像フレームは有効データを含み、前記第２の出力サブ回路は、
第１の伝送レートで前記第１の画像フレームの有効データを出力する有効出力時間を特定するための第３の特定部と、
前記伝送時間及び前記有効出力時間に基づいて、前記第１の画像フレームに対応する無効出力時間を特定するための第４の特定部と、
前記第１の画像フレームに対応する無効出力時間及び第２の伝送レートに基づいて、前記第１の画像フレームの有効データの直後に無効データを埋めて処理後の第１の画像フレームを得るための第２の充填部と、
前記処理後の第１の画像フレームを出力するための第２の出力部とを含み、
その中、前記有効データが前記第１の伝送レートで出力され、前記無効データが前記第２の伝送レートで出力される、
請求項１７に記載の回路。
【請求項１９】
前記第４の特定部は、
Ｔｂａｌｎｋ２＝Δｔ−（１／Ｖｆ）である第２の無効時間の式を使用して前記第１の画像フレームに対応する無効出力時間を特定し、
ただし、Ｔｂａｌｎｋ２は前記第１の画像フレームに対応する無効出力時間を示し、Δｔは前記伝送時間を示し、１／Ｖｆは前記有効出力時間を示し、Ｖｆは前記第１の伝送レートを示す、
請求項１８に記載の回路。
【請求項２０】
前記第１の伝送レートの単位は前記表示装置のリフレッシュレートの単位と同じであり、かつ前記第１の伝送レートの値は前記表示装置の最大リフレッシュレートの値以上である、
請求項１４、１５、１６、１８又は１９のいずれか１項に記載の回路。
【請求項２１】
請求項１１乃至２０のいずれか１項に記載のリフレッシュレート調整回路を含む、
表示装置。
【請求項２２】
指令を記憶し、コンピュータでランニングするとき、コンピュータに請求項１乃至１０のいずれか１項に記載のリフレッシュレート調整方法を実行させる、
コンピュータ読取り可能な記憶媒体。
【発明の詳細な説明】
【技術分野】
【０００１】
関連出願の相互参照。本出願は、２０１７年６月９日に出願された出願号が２０１７１０４３２８４３．２の中国特許出願の優先権を主張し、当該出願の全ての内容をここに援用する。
本開示は、表示技術分野に関し、特にリフレッシュレート調整方法及びその回路、表示装置、並びに記憶媒体に関する。
【背景技術】
【０００２】
表示装置は、一般的に、駆動デバイス（例えば、グラフィックスカード）の駆動により画像表示を行う。その中、表示装置は、通常、表示パネル及び表示パネルを駆動するための駆動回路を含む。
【０００３】
関連技術において、駆動デバイスは自体の処理能力及び表示装置の解像度により一定の駆動リフレッシュレートで表示装置に画像フレームを伝送することができ、そして、表示装置は一定の表示リフレッシュレートで画像フレームを出力して画像表示を行う。その中、駆動リフレッシュレートは、一般的に時間的に変化し、表示リフレッシュレートは、一般的に固定である。
【０００４】
本開示の実現中、発明者は、関連技術には少なくとも、駆動リフレッシュレートが時間的に変化し、かつ表示リフレッシュレートが固定であるため、表示リフレッシュレートと駆動リフレッシュレートとがマッチングできず、表示装置に途切れ途切れとなる現象が存在し、表示効果が悪いという問題が存在する。
【発明の概要】
【課題を解決するための手段】
【０００５】
本開示は、リフレッシュレート調整方法及び回路、表示装置、並びに記憶媒体を提供する。前記技術案は、以下のようである。
【０００６】
第１の形態において、リフレッシュレート調整方法を提供し、前記方法は、
駆動デバイスの現在の駆動リフレッシュレートを取得するステップと、
前記駆動リフレッシュレートが所定の駆動リフレッシュレート閾値より小さいかどうかを判定するステップと、
前記駆動リフレッシュレートが前記駆動リフレッシュレート閾値より小さいと、表示装置の表示リフレッシュレートを、前記表示リフレッシュレートが前記駆動リフレッシュレートのＰ（１より大きい整数）倍になり、かつ前記表示リフレッシュレートが前記駆動リフレッシュレート閾値より大きくなるように調整するステップと、を含む。
【０００７】
一実施例において、前記駆動リフレッシュレートが所定の駆動リフレッシュレート閾値より小さいかどうかを判定した後、前記方法は、さらに、前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するステップを含む。
【０００８】
一実施例において、前記駆動リフレッシュレートが前記駆動リフレッシュレート閾値より小さいと、表示装置の表示リフレッシュレートを、前記表示リフレッシュレートが前記駆動リフレッシュレートのＰ（１より大きい整数）倍になり、かつ前記表示リフレッシュレートが前記駆動リフレッシュレート閾値より大きくなるように調整するステップは、前記駆動リフレッシュレートが前記駆動リフレッシュレート閾値より小さいと、現在に受信した、前記駆動デバイスにより伝送された第１の画像フレームの伝送時間を特定するステップと、前記伝送時間と等しい出力時間でＰ個の前記第１の画像フレームを出力するステップと、を含む。
【０００９】
一実施例において、前記第１の画像フレームは有効データを含み、前記伝送時間と等しい出力時間でＰ個の前記第１の画像フレームを出力するステップは、第１の伝送レートでＰ個の前記第１の画像フレームの有効データを出力する有効出力時間を特定するステップと、前記伝送時間及び前記有効出力時間に基づいて、各前記第１の画像フレームに対応する無効出力時間を特定するステップと、各前記第１の画像フレームに対応する無効出力時間及び第２の伝送レートに基づいて、各前記第１の画像フレームの有効データの直後に無効データを埋めて処理後のＰ個の第１の画像フレームを得るステップと、前記処理後のＰ個の第１の画像フレームを出力するステップと、を含み、その中、前記有効データが前記第１の伝送レートで出力され、前記無効データが前記第２の伝送レートで出力される。
【００１０】
一実施例において、Ｐ個の前記第１の画像フレームにおける任意の２つの前記第１の画像フレームに対応する無効出力時間は等しく、若しくは、Ｐ個の前記第１の画像フレームにおいて、少なくとも２つの前記第１の画像フレームに対応する無効出力時間は等しくない。
【００１１】
一実施例において、Ｐ個の前記第１の画像フレームにおける任意の２つの前記第１の画像フレームに対応する無効出力時間は等しい場合、前記伝送時間及び前記有効出力時間に基づいて、各前記第１の画像フレームに対応する無効出力時間を特定するステップは、Ｔｂａｌｎｋ１＝［Δｔ−（Ｐ／Ｖｆ）］／Ｐである第１の無効時間の式を使用して各前記第１の画像フレームに対応する無効出力時間を特定するステップを含み、ただし、Ｔｂａｌｎｋ１は各前記第１の画像フレームに対応する無効出力時間を示し、Δｔは前記伝送時間を示し、Ｐ／Ｖｆは前記有効出力時間を示し、Ｖｆは前記第１の伝送レートを示す。
【００１２】
一実施例において、前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するステップは、前記駆動リフレッシュレートが前記駆動リフレッシュレート閾値以上であると、現在に受信した、前記駆動デバイスにより伝送された第１の画像フレームの伝送時間を特定するステップと、前記伝送時間と等しい出力時間で前記第１の画像フレームを出力するステップと、を含む。
【００１３】
一実施例において、前記第１の画像フレームは有効データを含み、前記伝送時間と等しい出力時間で前記第１の画像フレームを出力するステップは、第１の伝送レートで前記第１の画像フレームの有効データを出力する有効出力時間を特定するステップと、前記伝送時間及び前記有効出力時間に基づいて、前記第１の画像フレームに対応する無効出力時間を特定するステップと、前記第１の画像フレームに対応する無効出力時間及び第２の伝送レートに基づいて、前記第１の画像フレームの有効データの直後に無効データを埋めて処理後の第１の画像フレームを得るステップと、前記処理後の第１の画像フレームを出力するステップと、を含み、その中、前記有効データが前記第１の伝送レートで出力され、前記無効データが前記第２の伝送レートで出力される。
【００１４】
一実施例において、前記伝送時間及び前記有効出力時間に基づいて、前記第１の画像フレームに対応する無効出力時間を特定するステップは、Ｔｂａｌｎｋ２＝Δｔ−（１／Ｖｆ）である第２の無効時間の式を使用して前記第１の画像フレームに対応する無効出力時間を特定することを含み、ただし、Ｔｂａｌｎｋ２は前記第１の画像フレームに対応する無効出力時間を示し、Δｔは前記伝送時間を示し、１／Ｖｆは前記有効出力時間を示し、Ｖｆは前記第１の伝送レートを示す。
【００１５】
一実施例において、前記第１の伝送レートの単位は前記表示装置のリフレッシュレートの単位と同じであってもよく、かつ、前記第１の伝送レートの値は前記表示装置の最大リフレッシュレートの値以上である。
【００１６】
第２の形態において、リフレッシュレート調整回路を提供し、前記回路は、駆動デバイスの現在の駆動リフレッシュレートを取得するための取得回路と、前記駆動リフレッシュレートが所定の駆動リフレッシュレート閾値より小さいかどうかを判定するための判定回路と、前記駆動リフレッシュレートが前記駆動リフレッシュレート閾値より小さいと、表示装置の表示リフレッシュレートを、前記表示リフレッシュレートが前記駆動リフレッシュレートのＰ（１より大きい整数）倍になり、かつ前記表示リフレッシュレートが前記駆動リフレッシュレート閾値より大きくなるように調整するための第１の調整回路とを含む。
【００１７】
一実施例において、前記回路は、さらに、前記駆動リフレッシュレートが前記駆動リフレッシュレート閾値以上であると、前記表示装置の表示リフレッシュレートを、前記表示リフレッシュレートが前記駆動リフレッシュレートと等しくなるように調整するための第２の調整回路を含む。
【００１８】
一実施例において、前記第１の調整回路は、前記駆動リフレッシュレートが前記駆動リフレッシュレート閾値より小さいと、現在に受信した、前記駆動デバイスにより伝送された第１の画像フレームの伝送時間を特定するための第１の特定サブ回路と、前記伝送時間と等しい出力時間でＰ個の前記第１の画像フレームを出力するための第１の出力サブ回路と、を含む。
【００１９】
一実施例において、前記第１の画像フレームは有効データを含み、前記第１の出力サブ回路は、第１の伝送レートでＰ個の前記第１の画像フレームの有効データを出力する有効出力時間を特定するための第１の特定部と、前記伝送時間及び前記有効出力時間に基づいて、各前記第１の画像フレームに対応する無効出力時間を特定するための第２の特定部と、各前記第１の画像フレームに対応する無効出力時間及び第２の伝送レートに基づいて、各前記第１の画像フレームの有効データの直後に無効データを埋めて処理後のＰ個の第１の画像フレームを得るための第１の充填部と、前記処理後のＰ個の第１の画像フレームを出力するための第１の出力部とを含み、その中、前記有効データが前記第１の伝送レートで出力され、前記無効データが前記第２の伝送レートで出力される。
【００２０】
一実施例において、Ｐ個の前記第１の画像フレームにおける任意の２つの前記第１の画像フレームに対応する無効出力時間は等しく、若しくは、Ｐ個の前記第１の画像フレームにおいて、少なくとも２つの前記第１の画像フレームに対応する無効出力時間は等しくない。
【００２１】
一実施例において、Ｐ個の前記第１の画像フレームにおける任意の２つの前記第１の画像フレームに対応する無効出力時間は等しい場合、前記第２の特定部は、Ｔｂａｌｎｋ１＝［Δｔ−（Ｐ／Ｖｆ）］／Ｐである第１の無効時間の式を使用して各前記第１の画像フレームに対応する無効出力時間を特定し、ただし、Ｔｂａｌｎｋ１は各前記第１の画像フレームに対応する無効出力時間を示し、Δｔは前記伝送時間を示し、Ｐ／Ｖｆは前記有効出力時間を示し、Ｖｆは前記第１の伝送レートを示す。
【００２２】
一実施例において、前記第２の調整回路は、前記駆動リフレッシュレートが前記駆動リフレッシュレート閾値以上であると、現在に受信した、前記駆動デバイスにより伝送された第１の画像フレームの伝送時間を特定するための第２の特定サブ回路と、前記伝送時間と等しい出力時間で前記第１の画像フレームを出力するための第２の出力サブ回路とを含む。
【００２３】
一実施例において、前記第１の画像フレームは有効データを含み、前記第２の出力サブ回路は、第１の伝送レートで前記第１の画像フレームの有効データを出力する有効出力時間を特定するための第３の特定部と、前記伝送時間及び前記有効出力時間に基づいて、前記第１の画像フレームに対応する無効出力時間を特定するための第４の特定部と、前記第１の画像フレームに対応する無効出力時間及び第２の伝送レートに基づいて、前記第１の画像フレームの有効データの直後に無効データを埋めて処理後の第１の画像フレームを得るための第２の充填部と、前記処理後の第１の画像フレームを出力するための第２の出力部とを含み、その中、前記有効データが前記第１の伝送レートで出力され、前記無効データが前記第２の伝送レートで出力される。
【００２４】
一実施例において、前記第４の特定部は、Ｔｂａｌｎｋ２＝Δｔ−（１／Ｖｆ）である第２の無効時間の式を使用して前記第１の画像フレームに対応する無効出力時間を特定し、ただし、Ｔｂａｌｎｋ２は前記第１の画像フレームに対応する無効出力時間を示し、Δｔは前記伝送時間を示し、１／Ｖｆは前記有効出力時間を示し、Ｖｆは前記第１の伝送レートを示す。
【００２５】
一実施例において、前記第１の伝送レートの単位は前記表示装置のリフレッシュレートの単位と同じであってもよく、かつ前記第１の伝送レートの値は前記表示装置の最大リフレッシュレートの値以上である。
【００２６】
第３の形態において、表示装置を提供し、前記表示装置は、第２の形態又は第２の形態におけるいずれかの選択可能な形態に記載のリフレッシュレート調整回路を含む。
【００２７】
第４の形態において、コンピュータ読取り可能な記憶媒体を提供し、前記コンピュータ読取り可能な記憶媒体は、指令を記憶し、コンピュータでランニングするとき、コンピュータに第１の形態あるいは第１の形態におけるいずれかの選択可能な形態に提供されたリフレッシュレート調整方法を実行させる。
【００２８】
上記した一般的な記述及び後述の細部は、例示的なものにすぎず、本開示を制限することができないと理解すべきである。
【００２９】
以下、本開示の各実施例における技術案をより明確に説明するために、実施例を記述するために必要な図面について簡単に説明する。以下に説明する図面は、本発明のいつかの実施例に過ぎず、当業者にとって、創造的な作業をしなくてもこれらの図面に基づいてほかの図面を得られる。
【図面の簡単な説明】
【００３０】
【図１】本発明の各実施例に係るアプリケーション環境の模式図である。
【図２ａ】本開示の一実施例におけるリフレッシュレート調整方法の方法フローチャートである。
【図２ｂ】本開示の一実施例におけるリフレッシュレート調整方法の１つの具体的なステップの方法フローチャートである。
【図２ｃ】本開示の一実施例におけるリフレッシュレート調整方法の模式図である。
【図２ｄ】本開示の一実施例におけるリフレッシュレート調整方法のもう１つの具体的なステップの方法フローチャートである。
【図２ｅ】本開示の一実施例におけるリフレッシュレート調整方法のさらにもう１つの具体的なステップの方法フローチャートである。
【図２ｆ】本開示の一実施例におけるリフレッシュレート調整方法のさらにもう１つの具体的なステップの方法フローチャートである。
【図２ｇ】本開示の一実施例におけるリフレッシュレート調整方法のもう１つの模式図である。
【図３ａ】本開示の一実施例におけるリフレッシュレート調整回路のブロック図である。
【図３ｂ】本開示の一実施例におけるもう１つのリフレッシュレート調整回路のブロック図である。
【図３ｃ】本開示の一実施例における第１の調整回路のブロック図である。
【図３ｄ】本開示の一実施例における第１の出力サブ回路のブロック図である。
【図３ｅ】本開示の一実施例における第２の調整回路のブロック図である。
【図３ｆ】本開示の一実施例における第２の出力サブ回路のブロック図である。
【発明を実施するための形態】
【００３１】
ここでの図面は明細書に合併されて明細書の一部を構成し、本発明に合致する実施例を示し、明細書とともに本発明の原理を解釈する。
以下、本発明の目的、技術案及び利点をより明確にするために、図面を参照しながら本発明についてより詳細に説明する。勿論、説明する実施例は、本発明の一部の実施例に過ぎず、すべての実施例ではない。当業者が本発明における実施例を基にして創造的な労働をせずに得られるあらゆるほかの実施例は、全て本発明の保護範囲に含まれる。
【００３２】
図１を参照し、本発明の各実施例に係るアプリケーション環境の模式図を示した。図１は、表示装置１００を示し、当該表示装置１００は駆動デバイス１１０及び表示パネル１２０を含み、当該駆動デバイス１１０はグラフィックスカードであってもよく、表示装置１００は駆動デバイス１１０の駆動により表示パネル１２０で画像表示を行う必要がある。代替的にまたは一実施例において、駆動デバイス１１０は、表示装置１００とは独立して表示装置１００の外側に配置され、表示装置１００にカップリングされてもよい。
【００３３】
図１に示されるように、表示装置１００は、さらに、表示パネル１２０を駆動する駆動回路（図１中に未図示）を含み、当該駆動回路は、タイミングコントローラ１３０と、表示パネル１２０における各行の画素を行ごとにスキャンするためのゲート駆動回路１４０と、表示パネル１２０の各列の画素にデータ信号を提供するためのソース駆動回路１５０とを備える。その中、タイミングコントローラ１３０は、ゲート駆動回路１４０、ソース駆動回路１５０及び駆動デバイス１１０のそれぞれに接続され、駆動デバイス１１０の駆動リフレッシュレートでゲート駆動回路１４０及びソース駆動回路１５０から出力された信号を制御し、これにより、表示装置１００のリフレッシュレートを調整する。タイミングコントローラ１３０には、本開示の実施例におけるリフレッシュレート調整回路３００が搭載されてもよく、以下、当該リフレッシュレート調整回路３００の詳細について、図３ａ〜３ｆを参照しながら後述する。
【００３４】
代替的にまたは一実施例において、表示装置１００は、さらにコンピュータ読取り可能な記憶媒体１６０を含み、前記コンピュータ読取り可能な記憶媒体１６０は、指令を記憶し、前記コンピュータ読取り可能な記憶媒体１６０がコンピュータによってランニングされると、コンピュータを本開示実施例による方法を実行させる。
【００３５】
当業者は、本開示実施例を実現できる全てまたは一部のステップは、ハードウェアにより完成されてもよく、プログラムにより関連するハードウェアを指示することで完成されてもよいことを理解すべきであり、前記プログラムは、コンピュータ読取り可能な記憶媒体１６０に記憶されてもよい。代替的にまたは一実施例において、コンピュータ読取り可能な記憶媒体１６０は、タイミングコントローラ１３０にカップリングされる。コンピュータ読取り可能な記憶媒体１６０は、ＲＯＭ、ディスク又はＣＤなどのである。
【００３６】
表示装置１００は、液晶パネル、電子ペーパ、有機発光ダイオード（Ｏｒｇａｎｉｃ  Ｌｉｇｈｔ−Ｅｍｉｔｔｉｎｇ  Ｄｉｏｄｅ、ＯＬＥＤと略称する）パネル、携帯電話、タブレット、ＴＶ、ディスプレイ、ノートパソコン、デジタルフォトフレーム、ナビゲータ等の表示機能を有する任意の製品又は部品である。
【００３７】
図２ａは、本開示の一実施例におけるリフレッシュレート調整方法の方法フローチャートを示し、当該リフレッシュレート調整方法は、リフレッシュレート調整回路３００によって実行されることができ、上記のように、当該リフレッシュレート調整回路３００は、図１に示されたタイミングコントローラ０２２における機能回路であっても良い。図２ａを参照し、当該方法は、駆動デバイスの現在の駆動リフレッシュレートを取得するステップ２０１を含む。
【００３８】
その中、駆動デバイスは、ディスプレイ駆動デバイスであってもよく、具体的には、グラフィックスカードであってもよい。駆動デバイスは、表示装置に画像フレームを入力することができ、駆動デバイスが表示装置に画像フレームを入力する周波数は駆動リフレッシュレートである。
【００３９】
本開示の複数の実施例において、リフレッシュレート調整回路３００は、表示装置により受信された画像フレームの数に基づいて駆動デバイスの現在の駆動リフレッシュレートを取得し、或いは、駆動デバイスはリアルタイムにリフレッシュレート調整回路３００に駆動リフレッシュレートを送信し、リフレッシュレート調整回路３００は駆動デバイスから送信された駆動リフレッシュレートを受信することで駆動デバイスの現在の駆動リフレッシュレートを取得し、或いは、リフレッシュレート調整回路３００は、駆動デバイスに駆動リフレッシュレートを取得するための取得リクエストを送信してから、駆動デバイスから送信された取得応答を受信し、取得応答の内容に基づいて駆動デバイスの現在の駆動リフレッシュレートを取得する。本開示の各実施例は、駆動デバイスの現在の駆動リフレッシュレートの取得手段を限定しない。本開示の一実施例において、仮に駆動デバイスの現在の駆動リフレッシュレートをｆ１とする。
【００４０】
説明すべきことは、本開示の複数の実施例において、リフレッシュレート調整回路３００は、リアルタイムに駆動デバイスの現在の駆動リフレッシュレートを取得でき、駆動リフレッシュレートの変化率が比較的小さいと、リフレッシュレート調整回路３００は、所定時間間隔をおいて駆動リフレッシュレートを取得し、取得した駆動リフレッシュレートを駆動デバイスの現在の駆動リフレッシュレートとしてもよい。その中、所定時間間隔は経験に従って設定されてもよく、本開示の各実施例はここで限定しない。なお、上記のように挙げられたいくつかの駆動リフレッシュレートを取得する形態は、単に例示的なものにすぎず、実際に応用するとき、他の形態で駆動リフレッシュレートを取得してもよく、具体的な取得プロセスは関連技術を参照することで得られるため、ここで詳しく説明しない。
【００４１】
ステップ２０２において、駆動リフレッシュレートが所定の駆動リフレッシュレート閾値より小さいかどうかを判定する。
【００４２】
リフレッシュレート調整回路３００が駆動デバイスの現在の駆動リフレッシュレートを取得した後、駆動リフレッシュレートが所定の駆動リフレッシュレート閾値より小さいかどうかを判定する。その中、駆動リフレッシュレート閾値は、ｆと表記され、ｆの具体的な値は、実際の経験に従って設定されることができ、例示的には、ｆ＝３０ｆｐｓ（Ｆｒａｍｅｓ  Ｐｅｒ  Ｓｅｃｏｎｄ：１秒あたりのフレーム数）であり、本開示の各実施例はここで限定しない。
【００４３】
一実施例において、リフレッシュレート調整回路３００は、駆動リフレッシュレートｆ１と駆動リフレッシュレート閾値ｆとを比較して駆動リフレッシュレートが駆動リフレッシュレート閾値より小さいかどうかを判定する。
【００４４】
ステップ２０３において、駆動リフレッシュレートｆ１が駆動リフレッシュレート閾値ｆより小さいと、調整後の表示リフレッシュレートが駆動リフレッシュレートのＰ（１より大きい整数）倍になり、かつ調整後の表示リフレッシュレートｆ１が駆動リフレッシュレート閾値ｆより大きいように、表示装置の表示リフレッシュレートを調整する。一例において、図２ｂは、本開示の一実施例におけるリフレッシュレート調整方法の一つの具体的なステップの方法フローチャートを示し、当該方法は、駆動リフレッシュレートが駆動リフレッシュレート閾値より小さいと、現在に受信した、駆動デバイスにより伝送された第１の画像フレームの伝送時間を特定するサブステップ２０３１を含む。
【００４５】
その中、現在に受信した、駆動デバイスにより伝送された第１の画像フレームの伝送時刻は、現在時刻の直前の時刻である。一実施例において、表示装置には、タイマ及び識別装置が設けられ、第１の画像フレームは開始マーク及び終了マークを備え、駆動デバイスが表示装置へ第１の画像フレームの伝送中、表示装置は識別装置で第１の画像フレームの開始マーク及び終了マークを識別する。表示装置は、第１の画像フレームの開始マークを識別したとき、タイマをＯＮして計時させ、第１の画像フレームの終了マークを識別したとき、タイマをＯＦＦして計時を停止させ、リフレッシュレート調整回路３００は、表示装置の計時停止の時刻と計時開始の時刻との時間差を第１の画像フレームの伝送時間として特定する。説明すべきことは、ここで説明した第１の画像フレームの伝送時間を確定する形態は、単に例示的なものにすぎず、実際に応用するとき、他の形態で第１の画像フレームの伝送時間を特定してもよく、ここで詳しく説明しない。
【００４６】
説明すべきことは、本開示の一実施例において、第１の画像フレームは画像表示に用いられる有効データ及び画像表示に用いられない無効データを含み、当該無効データは、一般的にブランキングデータとも称し、表示装置は、駆動デバイスから伝送された第１の画像フレームを受信した後、第１の画像フレームの有効データを記憶し、本開示の各実施例は、ここで限定しない。
【００４７】
例示的には、図２ｃは本開示の一実施例におけるリフレッシュレート調整方法の模式図を示し、図２ｃを参照し、駆動デバイスから入力された（即ち、駆動デバイスにより表示装置に伝送された）第１の画像フレームＦ１は、画像表示に用いられる有効データ１〜ｎ及び画像表示に用いられない無効データＢＬＡＮＫを含み、当該第１の画像フレームＦ１の伝送時間はΔｔであり、表示装置は当該第１の画像フレームＦ１を受信した後に、有効データ１〜ｎを記憶する。
【００４８】
サブステップ２０３２において、伝送時間と等しい出力時間でＰ個の第１の画像フレームを出力する。
【００４９】
リフレッシュレート調整回路３００は、第１の画像フレームの伝送時間を特定した後、伝送時間と等しい出力時間でＰ個の第１の画像フレームを出力し、表示装置の表示リフレッシュレートを駆動デバイスの駆動リフレッシュレートのＰ倍に調整することができる。図２ｃにおいて、Ｐが２となる。例示的には、図２ｄは本開示の一実施例において伝送時間と等しい出力時間でＰ個の第１の画像フレームを出力する方法フローチャートを示し、当該方法は、第１の伝送レートでＰ個の第１の画像フレームの有効データを出力する有効出力時間を特定するサブステップ２０３２１を含む。
【００５０】
その中、第１の画像フレームは、有効データ及び無効データを含み、有効データの出力時間は有効出力時間であってもよく、無効データの出力時間は無効出力時間であってもよい。第１の伝送レートは固定伝送レートであってもよく、表示装置のＰ２Ｐ（Ｐｏｉｎｔ  Ｔｏ  Ｐｏｉｎｔ）インタフェースレートであってもよく、当該第１の伝送レートの単位は、表示装置のリフレッシュレートの単位と同じであってもよく、かつ第１の伝送レートの値が表示装置の最大リフレッシュレートの値以上であり、これにより、データ伝送レートが表示装置のリフレッシュレートに追従することを保証できる。一実施例において、第１の伝送レートの単位はｆｐｓであり、一般的には、表示装置のリフレッシュレートの範囲は、３０ｆｐｓ〜１５０ｆｐｓ（或いは３０Ｈｚ〜１５０Ｈｚ）であり、これにより、表示装置の最大リフレッシュレートが１５０ｆｐｓであることがわかるため、第１の伝送レートが１５０ｆｐｓより大きくてもよく、本開示の各実施例はここで限定しない。
【００５１】
本開示の一実施例において、第１の伝送レートがＶｆと表記され、当該第１の伝送レートＶｆの単位がｆｐｓであり、当該第１の伝送レートＶｆの単位を特定できることで、当該第１の伝送レートＶｆで一つの第１の画像フレームの有効データを出力する有効出力時間が１／Ｖｆとなり、当該第１の伝送レートでＰ個の第１の画像フレームの有効データを出力する有効出力時間がＰ／Ｖｆとなる。例示的には、引き続き図２ｃを参照し、当該図２ｃにおいて、Ｐ＝２を例として説明を行う。表示装置が各第１の画像フレームＦ１の有効データ１〜ｎを出力する有効出力時間は１／Ｖｆであるため、表示装置が２つの第１の画像フレームＦ１の有効データを出力する有効出力時間は２／Ｖｆとなり、即ち、図２ｃにおいて有効出力時間が２／Ｖｆとなる。
【００５２】
説明すべきことは、上述した第１の伝送レートでＰ個の第１の画像フレームの有効データを出力する有効出力時間を特定する形態が単に例示的なものにすぎず、実際に応用するとき、他の形態でＰ個の第１の画像フレームの有効データを出力する有効出力時間を特定してもよく、ここで詳しく説明しない。
【００５３】
サブステップ２０３２２において、伝送時間及び有効出力時間に基づいて、各第１の画像フレームに対応する無効出力時間を特定する。
【００５４】
第１の画像フレームの伝送時間、及び第１の伝送レートでＰ個の第１の画像フレームの有効データを出力する有効出力時間を特定した後、リフレッシュレート調整回路３００は、伝送時間及び有効出力時間に基づいて、各第１の画像フレームに対応する無効出力時間を特定する。その中、各第１の画像フレームに対応する無効出力時間は、各第１の画像フレームの無効データを出力する時間であり、本開示の各実施例はここで限定しない。
【００５５】
一実施例において、Ｐ個の第１の画像フレームにおける任意の２つの第１の画像フレームに対応する無効出力時間は等しく、そのとき、リフレッシュレート調整回路３００は、第１の無効時間の式を使用して各第１の画像フレームに対応する無効出力時間を特定し、当該第１の無効時間の式は、Ｔｂａｌｎｋ１＝［Δｔ−（Ｐ／Ｖｆ）］／Ｐである。その中、Ｔｂａｌｎｋ１は各第１の画像フレームに対応する無効出力時間を示し、Δｔは駆動デバイスが表示装置に第１の画像フレームを伝送する伝送時間を示し、Ｐ／Ｖｆは第１の伝送レートＶｆでＰ個の第１の画像フレームの有効データを出力する有効出力時間を示し、Ｖｆは第１の伝送レートを示す。例示的には、図２ｃに示されるように、各第１の画像フレームＦ１に対応する無効出力時間はＴｂａｌｎｋ１である。
【００５６】
一実施例において、Ｐ個の第１の画像フレームにおいて、少なくとも２つの第１の画像フレームに対応する無効出力時間は等しくない。そのとき、リフレッシュレート調整回路３００は、Ｐ個の第１の画像フレームに対応する無効出力時間の合計が［Δｔ−（Ｐ／Ｖｆ）］に等しいことを保証する前提で、各第１の画像フレームにランダムに無効出力時間を割り当て、各第１の画像フレームに割り当てられた無効出力時間を各第１の画像フレームに対応する無効出力時間として特定する。説明すべきことは、ここで説明した各第１の画像フレームに対応する無効出力時間を特定する形態は単に例示的なものにすぎず、実際に応用するとき、Ｐ個の第１の画像フレームにおいて、少なくとも２つの第１の画像フレームに対応する無効出力時間は等しくないと、リフレッシュレート調整回路３００は、他の形態で各第１の画像フレームに対応する無効出力時間を特定してもよく、ここで詳しく説明しない。
【００５７】
サブステップ２０３２３において、各第１の画像フレームに対応する無効出力時間及び第２の伝送レートに基づいて、各第１の画像フレームの有効データの直後に無効データを埋めて処理後のＰ個の第１の画像フレームを得られる。
【００５８】
リフレッシュレート調整回路３００は各第１の画像フレームに対応する無効出力時間を特定した後、各第１の画像フレームに対応する無効出力時間及び第２の伝送レートに基づいて、各第１の画像フレームの有効データの直後に無効データを埋めて処理後のＰ個の第１の画像フレームを得られる。その中、第２の伝送レートは第１の画像フレームの無効データの出力レートであり、当該第２の伝送レートは第１の伝送レートと同じであってもよく、第１の伝送レートと異なってもよく、本開示の各実施例はここで限定しない。好ましくは、第２の伝送レートは第１の伝送レートと同じである。例示的には、引き続き図２ｃを参照し、リフレッシュレート調整回路３００は、各第１の画像フレームＦ１に対応する無効出力時間Ｔｂｌａｎｋ１及び第２の伝送レートに基づいて、各第１の画像フレームＦ１の有効データｎの直後に無効データＢＬＡＮＫを埋めて処理後の２つの第１の画像フレームＦ１を得る。
【００５９】
サブステップ２０３２４において、処理後のＰ個の第１の画像フレームを出力し、その中、有効データが第１の伝送レートで出力され、無効データが第２の伝送レートで出力される。
【００６０】
各第１の画像フレームの有効データの直後に無効データを埋めた後、リフレッシュレート調整回路３００は処理後のＰ個の第１の画像フレームを出力し、表示装置に処理後のＰ個の第１の画像フレームに基づいて画像を表示させる。その中、リフレッシュレート調整回路３００は第１の伝送レートＶｆで各第１の画像フレームの有効データを出力し、第２の伝送レートで各第１の画像フレームの無効データを出力する。本開示の一実施例において、データは連続的に出力され、かつリフレッシュレート調整回路３００はフレームごとにデータが出力される。処理後のＰ個の第１の画像フレームの出力中、リフレッシュレート調整回路３００は、最初の第１の画像フレームの有効データを先に出力してから、当該最初の第１の画像フレームの無効データを出力し、続いて２つ目の第１の画像フレームの有効データを出力してから、当該第２つ目の第１の画像フレームの無効データを出力し、このように順次に繰り返して出力する。
【００６１】
例示的には、図２ｃに示されるように、リフレッシュレート調整回路３００は第１の伝送レートＶｆで第１の画像フレームＦ１の有効データ１〜ｎを出力してから第２の伝送レートで第１の画像フレームＦ１の無効データＢＬＡＮＫを出力し、続いて、第１の伝送レートＶｆで第１の画像フレームＦ１’の有効データ１〜ｎを出力し、最後に第２の伝送レートで第１の画像フレームＦ１’の無効データＢＬＡＮＫを出力する。本開示の一実施例において、駆動リフレッシュレートが駆動リフレッシュレート閾値（３０ｆｐｓ）より小さい場合に、表示リフレッシュレートを駆動リフレッシュレートの２倍に調整し、画面表示のなめらかさを保証する。
【００６２】
代替的にまたは一実施例において、ステップ２０４において、駆動リフレッシュレートが駆動リフレッシュレート閾値以上であると、表示装置の表示リフレッシュレートを調整し、調整後の表示リフレッシュレートが駆動リフレッシュレートと等しくなる。
【００６３】
ステップ２０２において、リフレッシュレート調整回路３００は、駆動リフレッシュレートの駆動リフレッシュレート閾値以上であると特定する場合に、ステップ２０４において、リフレッシュレート調整回路３００は、表示装置の表示リフレッシュレートを、調整後の表示リフレッシュレートが駆動リフレッシュレートに等しくなるように調整する。図２ｅは本開示の一実施例におけるもう１つの表示装置の表示リフレッシュレートの調整方法フローチャートを示し、図２ｅを参照し、当該方法は、駆動リフレッシュレートが駆動リフレッシュレート閾値以上の場合に、現在に受信した、駆動デバイスにより伝送された第１の画像フレームの伝送時間を特定するサブステップ２０４１を含む。
【００６４】
その中、当該サブステップ２０４１の具体的なプロセスは、上記サブステップ２０３１を参照し、ここで詳しく説明しない。
【００６５】
サブステップ２０４２において、伝送時間と等しい出力時間で第１の画像フレームを出力する。
【００６６】
リフレッシュレート調整回路３００は、第１の画像フレームの伝送時間を特定した後、当該伝送時間と等しい出力時間で第１の画像フレームを出力し、これにより、表示装置の表示リフレッシュレートが駆動デバイスの駆動リフレッシュレートに等しくなることができ、そのため、表示リフレッシュレートが駆動リフレッシュレートの変化に追従することができる。図２ｆは、本開示の一実施例における第１の画像フレームを出力する方法フローチャートを示し、当該方法は、第１の伝送レートで第１の画像フレームの有効データを出力する有効出力時間を特定するサブステップ２０４２１を含む。
【００６７】
その中、第１の画像フレームは、有効データ及び無効データを含み、有効データの出力時間は有効出力時間であってもよく、無効データの出力時間は無効出力時間であってもよい。第１の伝送レートは固定伝送レートであってもよく、表示装置のＰ２Ｐインタフェースレートであってもよく、当該第１の伝送レートの単位は、表示装置のリフレッシュレートの単位と同じでもよく、かつ第１の伝送レートの値が表示装置の最大リフレッシュレートの値以上であり、これにより、データ伝送レートが表示装置のリフレッシュレートに追従することを保証できる。一実施例において、第１の伝送レートの単位はｆｐｓであり、一般的には、表示装置のリフレッシュレートの範囲は、３０ｆｐｓ〜１５０ｆｐｓ（或いは３０Ｈｚ〜１５０Ｈｚ）であり、これにより、表示装置の最大リフレッシュレートが１５０ｆｐｓであることがわかるため、第１の伝送レートが１５０ｆｐｓより大きくてもよく、本開示の各実施例はここで限定しない。
【００６８】
本開示の一実施例において、第１の伝送レートがＶｆと表記され、当該第１の伝送レートＶｆの単位がｆｐｓであり、当該第１の伝送レートＶｆの単位を特定できることで、当該第１の伝送レートＶｆで第１の画像フレームの有効データを出力する有効出力時間が１／Ｖｆとなる。例示的には、図２ｇは、本開示の一実施例におけるリフレッシュレート調整方法のもう１つの模式図を示し、図２ｇを参照し、駆動デバイスから入力された第１の画像フレームＦ１は、有効データ１〜ｎ及び無効データＢＬＡＮＫを含み、当該第１の画像フレームＦ１の伝送時間がΔｔであってもよく、表示装置が第１の画像フレームＦ１の有効データ１〜ｎを出力する有効出力時間は１／Ｖｆである。
【００６９】
サブステップ２０４２２において、伝送時間及び有効出力時間に基づいて、第１の画像フレームに対応する無効出力時間を特定する。
【００７０】
第１の画像フレームの伝送時間、及び第１の伝送レートで第１の画像フレームの有効データを出力する有効出力時間を特定した後、リフレッシュレート調整回路３００は、伝送時間及び有効出力時間に基づいて、第１の画像フレームに対応する無効出力時間を特定する。その中、第１の画像フレームに対応する無効出力時間は、第１の画像フレームの無効データを出力する時間であり、本開示の各実施例はここで限定しない。
【００７１】
一実施例において、リフレッシュレート調整回路３００は第２の無効時間の式を使用して第１の画像フレームに対応する無効出力時間を特定し、当該第２の無効時間の式は、Ｔｂａｌｎｋ２＝Δｔ−（１／Ｖｆ）である。その中、Ｔｂａｌｎｋ２は第１の画像フレームに対応する無効出力時間を示し、Δｔは駆動デバイスが表示装置に第１の画像フレームを伝送する伝送時間を示し、１／Ｖｆは第１の伝送レートＶｆで第１の画像フレームの有効データを出力する有効出力時間を示し、Ｖｆは第１の伝送レートを示す。例示的には、図２ｇに示されるように、第１の画像フレームＦ１に対応する無効出力時間はＴｂａｌｎｋ２である。
【００７２】
サブステップ２０４２３において、第１の画像フレームに対応する無効出力時間及び第２の伝送レートに基づいて、第１の画像フレームの有効データの直後に無効データを埋めて処理後の第１の画像フレームを得られる。
【００７３】
リフレッシュレート調整回路３００は第１の画像フレームに対応する無効出力時間を特定した後、第１の画像フレームに対応する無効出力時間及び第２の伝送レートに基づいて、第１の画像フレームの有効データの直後に無効データを埋めて処理後の第１の画像フレームを得られる。その中、第２の伝送レートは第１の画像フレームの無効データの出力レートであり、当該第２の伝送レートは第１の伝送レートと同じであってもよく、第１の伝送レートと異なってもよく、本開示の各実施例はここで限定しない。好ましくは、第２の伝送レートは第１の伝送レートと同じである。例示的には、引き続き図２ｇを参照し、リフレッシュレート調整回路３００は、第１の画像フレームＦ１に対応する無効出力時間及び第２の伝送レートに基づいて、第１の画像フレームＦ１の有効データｎの直後に無効データＢＬＡＮＫを埋めて処理後の第１の画像フレームＦ１を得る。
【００７４】
サブステップ２０４２４において、処理後の第１の画像フレームを出力し、その中、有効データが第１の伝送レートで出力され、無効データが第２の伝送レートで出力される。
【００７５】
第１の画像フレームの有効データの直後に無効データを埋めた後、リフレッシュレート調整回路３００は処理後の第１の画像フレームを出力し、表示装置に処理後の第１の画像フレームに基づいて画像を表示させる。その中、リフレッシュレート調整回路３００は第１の伝送レートＶｆで第１の画像フレームの有効データを出力し、第２の伝送レートで第１の画像フレームの無効データを出力する。本開示の一実施例において、データは連続的に出力され、処理後の第１の画像フレームの出力中、リフレッシュレート調整回路３００は、第１の画像フレームの有効データを先に出力し、そして当該第１の画像フレームの無効データを出力する。例示的には、図２ｇに示されるように、リフレッシュレート調整回路３００は第１の伝送レートＶｆで第１の画像フレームＦ１の有効データ１〜ｎを出力し、そして第２の伝送レートで第１の画像フレームＦ１の無効データＢＬＡＮＫを出力する。
【００７６】
本開示の各実施例におけるリフレッシュレート調整方法は、Ｐ２Ｐインタフェースを介して第１の伝送レートで有効データを出力することで、無効伝送時間（ＢＬＡＮＫ時間）を調整でき、さらに各画像フレームの出力時間をダイナミックに調整でき、各画像フレームの出力時間を調整することで、表示リフレッシュレートを調整する。
【００７７】
上記をまとめて、本開示の各実施例におけるリフレッシュレート調整方法は、駆動リフレッシュレートに基づいて表示リフレッシュレートを調整し、表示リフレッシュレートを駆動リフレッシュレートにマッチングさせることができるため、表示装置に途切れ途切れ現象が存在し、表示効果が悪い問題をこと克服することができ、表示装置の表示効果を改善できる。
【００７８】
本開示の各実施例におけるリフレッシュレート調整方法は、駆動リフレッシュレートが駆動リフレッシュレート閾値より小さい場合、表示装置の表示リフレッシュレートを調整し、調整後の表示リフレッシュレートが駆動リフレッシュレートのＰ倍となり、画面表示の流暢を保証できる。一方、駆動リフレッシュレートが駆動リフレッシュレート閾値以上である場合、表示装置の表示リフレッシュレートを調整し、調整後の表示リフレッシュレートが駆動リフレッシュレートと等しくなるため、表示装置の表示リフレッシュレートが駆動デバイスの駆動リフレッシュレートに適応でき、より良好の表示効果を実現することができる。
【００７９】
以下、本発明による装置の実施例を説明し、これらの装置の実施例は本発明による方法の実施例を実行するのに適用できる。本発明による装置の実施例に掲載されていない詳細は、本発明による方法の実施例を参照して得られる。
【００８０】
図３ａは、本開示の一実施例におけるリフレッシュレート調整回路３００のブロック図を示し、当該リフレッシュレート調整回路３００は、図２ａに示した実施例におけるリフレッシュレート調整方法を実行するための図１に示したタイミングコントローラ０２２における機能回路であり、図３ａを参照し、当該リフレッシュレート調整回路３００は、駆動デバイスの現在の駆動リフレッシュレートを取得するための取得回路３１０と、駆動リフレッシュレートが所定の駆動リフレッシュレート閾値より小さいかどうかを判定するための判定回路３２０と、駆動リフレッシュレートが駆動リフレッシュレート閾値より小さいと、表示装置の表示リフレッシュレートを調整し、調整後の表示リフレッシュレートが駆動リフレッシュレートのＰ（１より大きい整数）倍になり、かつ調整後の表示リフレッシュレートが駆動リフレッシュレート閾値より大きくなるための第１の調整回路３３０とを含むように構成されるが、これに限定されない。
【００８１】
上記のように、本開示の一実施例におけるリフレッシュレート調整回路３００は、駆動リフレッシュレートに基づいて表示リフレッシュレートを調整し、表示リフレッシュレートを駆動リフレッシュレートにマッチングさせることができるため、表示装置に途切れ途切れ現象が存在し、表示効果が悪い問題をこと克服することができ、表示装置の表示効果を改善できる。
【００８２】
さらに、図３ｂは、本開示の一実施例におけるもう１つのリフレッシュレート調整回路３００のブロック図を示し、図３ｂを参照し、図３ａを基にして、当該リフレッシュレート調整回路３００は、さらに、駆動リフレッシュレートが駆動リフレッシュレート閾値以上であると、表示装置の表示リフレッシュレートを調整して調整後の表示リフレッシュレートを駆動リフレッシュレートと等しくする第２の調整回路３４０を含む。
【００８３】
一実施例において、図３ｃは、本開示の一実施例における第１の調整回路３３０のブロック図を示し、図３ｃを参照し、当該第１の調整回路３３０は、駆動リフレッシュレートが駆動リフレッシュレート閾値より小さいと、現在に受信した、駆動デバイスにより伝送された第１の画像フレームの伝送時間を特定する第１の特定サブ回路３３１と、伝送時間と等しい出力時間でＰ個の第１の画像フレームを出力するための第１の出力サブ回路３３２とを含む。
【００８４】
一実施例において、第１の画像フレームは有効データを含み、図３ｄは、本開示の一実施例における第１の出力サブ回路３３２のブロック図を示し、図３ｄを参照し、当該第１の出力サブ回路３３２は、第１の伝送レートでＰ個の第１の画像フレームの有効データを出力する有効出力時間を特定するための第１の特定部３３２１と、伝送時間及び有効出力時間に基づいて、各第１の画像フレームに対応する無効出力時間を特定するための第２の特定部３３２２と、各第１の画像フレームに対応する無効出力時間及び第２の伝送レートに基づいて、各第１の画像フレームの有効データの直後に無効データを埋めて処理後のＰ個の第１の画像フレームを得るための第１の充填部３３２３と、処理後のＰ個の第１の画像フレームを出力するための第１の出力部３３２４とを含み、その中、有効データが第１の伝送レートで出力され、無効データが第２の伝送レートで出力される。
【００８５】
一実施例において、Ｐ個の第１の画像フレームにおける任意の２つの第１の画像フレームに対応する無効出力時間は等しく、若しくは、Ｐ個の第１の画像フレームにおいて、少なくとも２つの第１の画像フレームに対応する無効出力時間は等しくない。
【００８６】
一実施例において、Ｐ個の第１の画像フレームにおける任意の２つの第１の画像フレームに対応する無効出力時間が等しい場合、第２の特定部３３２２は第１の無効時間の式を使用して各第１の画像フレームに対応する無効出力時間を特定し、当該第１の無効時間の式は、Ｔｂａｌｎｋ１＝［Δｔ−（Ｐ／Ｖｆ）］／Ｐである。その中、Ｔｂａｌｎｋ１は各第１の画像フレームに対応する無効出力時間を示し、Δｔは伝送時間を示し、Ｐ／Ｖｆは有効出力時間を示し、Ｖｆは第１の伝送レートを示す。
【００８７】
一実施例において、図３ｅは、本開示の一実施例における第２の調整回路３４０のブロック図を示し、図３ｅを参照し、当該第２の調整回路３４０は、駆動リフレッシュレートが駆動リフレッシュレート閾値以上であると、現在に受信した、駆動デバイスにより伝送された第１の画像フレームの伝送時間を特定するための第２の特定サブ回路３４１と、伝送時間と等しい出力時間で第１の画像フレームを出力するための第２の出力サブ回路３４２とを含む。
【００８８】
一実施例において、第１の画像フレームは有効データを含み、図３ｆは、本開示の一実施例における第２の出力サブ回路３４２のブロック図を示し、図３ｆを参照し、当該第２の出力サブ回路３４２は、第１の伝送レートで第１の画像フレームの有効データを出力する有効出力時間を特定するための第３の特定部３４２１と、伝送時間及び有効出力時間に基づいて、第１の画像フレームに対応する無効出力時間を特定するための第４の特定部３４２２と、第１の画像フレームに対応する無効出力時間及び第２の伝送レートに基づいて、第１の画像フレームの有効データの直後に無効データを埋めて処理後の第１の画像フレームを得るための第２の充填部３４２３と、処理後の第１の画像フレームを出力するための第２の出力部３４２４とを含み、その中、有効データが第１の伝送レートで出力され、無効データが第２の伝送レートで出力される。
【００８９】
一実施例において、第４の特定部３４２２は、第２の無効時間の式を使用して第１の画像フレームに対応する無効出力時間を特定し、第２の無効時間の式は、Ｔｂａｌｎｋ２＝Δｔ−（１／Ｖｆ）である。その中、Ｔｂａｌｎｋ２は第１の画像フレームに対応する無効出力時間を示し、Δｔは伝送時間を示し、１／Ｖｆは有効出力時間を示し、Ｖｆは第１の伝送レートを示す。
【００９０】
一実施例において、当該第１の伝送レートの単位は、表示装置のリフレッシュレートの単位と同じであってもよく、かつ第１の伝送レートの値が表示装置の最大リフレッシュレートの値以上である。
【００９１】
上記をまとめて、本開示の各実施例におけるリフレッシュレート調整回路は、駆動リフレッシュレートに基づいて表示リフレッシュレートを調整し、表示リフレッシュレートを駆動リフレッシュレートにマッチングさせることができるため、表示装置に途切れ途切れ現象が存在し、表示効果が悪い問題をこと克服することができ、表示装置の表示効果を改善できる。
【００９２】
説明すべきことは、上記実施例におけるリフレッシュレート調整回路は、表示装置の表示リフレッシュレートを調整するとき、上記した各機能回路に分割された例を挙げて説明したが、実際に応用するとき、必要に応じて上記機能を異なる機能回路に割り当て完成し、即ち、装置の内部構造を異なる機能回路に分割することで、上記した全部又は一部の機能を完成する。また、上記実施例におけるリフレッシュレート調整回路は、リフレッシュレート調整方法の実施例と同一の発明構想に属し、その具体的な実現プロセスは、方法の実施例を参照すれば得られるものであり、ここで詳しく説明しない。
【００９３】
以上に説明した内容は、単に本発明の好ましい実施例に過ぎず、本発明を限定するためのものではなく、本発明の主旨及び原則内になされたあらゆる補正、同等の置き換え、改善などがすべて本発明の保護範囲内に含まれる。
【符号の説明】
【００９４】
１００ 表示装置
１１０ 駆動デバイス
１２０ 表示パネル
１３０ タイミングコントローラ
１４０ ゲート駆動回路
１５０ ソース駆動回路
１６０ 記憶媒体
２０１ ステップ
２０２ ステップ
２０３ ステップ
２０４ ステップ
３００ リフレッシュレート調整回路
３１０ 取得回路
３２０ 判定回路
３３０ 第１の調整回路
３３１ 第１の特定サブ回路
３３２ 第１の出力サブ回路
３４０ 第２の調整回路
３４１ 第２の特定サブ回路
３４２ 第２の出力サブ回路
２０３１  サブステップ
２０３２  サブステップ
２０４１  サブステップ
２０４２  サブステップ
３３２１  第１の特定部
３３２２  第２の特定部
３３２３  第１の充填部
３３２４  第１の出力部
３４２１  第３の特定部
３４２２  第４の特定部
３４２３  第２の充填部
３４２４  第２の出力部
【図１】
2020522723.tif 000003
【図２ａ】
2020522723.tif 000004
【図２ｂ】
2020522723.tif 000005
【図２ｃ】
2020522723.tif 000006
【図２ｄ】
2020522723.tif 000007
【図２ｅ】
2020522723.tif 000008
【図２ｆ】
2020522723.tif 000009
【図２ｇ】
2020522723.tif 000010
【図３ａ】
2020522723.tif 000011
【図３ｂ】
2020522723.tif 000012
【図３ｃ】
2020522723.tif 000013
【図３ｄ】
2020522723.tif 000014
【図３ｅ】
2020522723.tif 000015
【図３ｆ】
2020522723.tif 000016
【国際調査報告】
2020522723.tif 000017
2020522723.tif 000018
2020522723.tif 000019
2020522723.tif 000020